(57)【要約】【課題】光磁気ディスク媒体を光磁気ディスク装置（ドライブ）に装着すること無しに、光ディスク媒体中の記録可能な領域の残量を目視により簡単に把握することができる光磁気ディスク媒体を提供すること。【解決手段】光磁気ディスク媒体に記録可能領域の残量を、光ディスク装置を装着することなく、光ディスク媒体単体にて目視可能に表示するための領域を有する。又、光ディスク媒体の残量表示部へ、光磁気ディスク装置の磁気ヘッドによって残量を記録する。【選択図】図１
2005108311.tif 000002
【特許請求の範囲】
【請求項１】
光磁気ディスク媒体に記録可能領域の残量を、光ディスク装置を装着することなく、光ディスク媒体単体にて目視可能に表示するための領域を有することを特徴とする光磁気ディスク媒体。
【請求項２】
残量表示部へ、光磁気ディスク装置の磁気ヘッドによって残量を記録することを特徴とする請求項１記載の光磁気ディスク媒体。
【発明の詳細な説明】
【技術分野】
【０００１】
本発明は、記録可能な光磁気ディスク媒体に関し、特に光磁気ディスク媒体中の記録可能な領域の残量表示方法に関するものである。
【背景技術】
【０００２】
近年、パソコン、デジタルカメラ、デジタルビデオカメラ等で電子データを保存するのに光ディスクが多く使われている。
【０００３】
このような光ディスク媒体は、使用量や記録可能な残量を知ろうとした場合には該当光ディスク媒体をその光ディスク媒体を読み取ることができるドライブ装置に入れて、該当光ディスク媒体内のファイル管理領域等を検索することにより、情報開示装置（モニター等）によって、その容量を知ることができるようになっている。
【０００４】
しかし、従来の光ディスク媒体では、光ディスク媒体単体で目視による使用量や残量を知ることができず、一旦ドライブに装置により処理をしなければならないために、操作面倒で不便であった。
【０００５】
例えば、ビデオカセットテープでは、カートリッジの透明領域から２本のリールに巻き付いているテープが見えるので、２本のリールにリールにそれぞれに巻き付いているテープ量の差から記録可能な残量を把握しておくことができる。
【０００６】
このように、光ディスク媒体においても記録を行おうとしている光ディスク媒体にどれだけの記録可能な領域が残されているのかを簡単に把握でき環境が望まれている。
【０００７】
【特許文献１】特開平１１−３０６５９９号公報
【発明の開示】
【発明が解決しようとする課題】
【０００８】
光ディスク媒体には、相変化光ディスク媒体を光磁気ディスク媒体がある。前述の相変化光ディスクでは、データ書き込み時にピックアップからのレーザ光によって相変化光ディスクの記録層の結晶領域をアモルファス領域へと変化させ反射率を変化させることによりデータを記録する。このデータ記録部であるアモルファス領域は、未記録部の結晶構造と反射率が異なるために目視により色相の違いとして記録部（アモルファス領域）と未記録部と判別することができる。
【０００９】
しかしながら、光磁気ディスク媒体では、データ書き込み方法が相変化光ディスクと異なっている。光磁気ディスク媒体では、データ書き込みはレーザ光により記録層（磁性層：ＴｂＦｅＣｏアモルファス等）をキュリー温度までに上昇させて磁気ヘッドにより記録層を磁化させていく。読み取り時は、この磁化された記録層にレーザ光を当てると磁化方向によりレーザ光の反射光の偏向角度が変化する（カー効果）ことを利用してデータを読み出す。
【００１０】
光磁気ディスク媒体単体では、相変化ディスクのように結晶構造が変化しないために光磁気ディスク媒体表面の反射率は変化しないので、目視により色相の違いとして記録部と未記録部を判別することができない。
【００１１】
本発明は上記問題に鑑みてなされたもので、その目的とする処は、光磁気ディスク媒体を光磁気ディスク装置（ドライブ）に装着すること無しに、光ディスク媒体中の記録可能な領域の残量を目視により簡単に把握することができる光磁気ディスク媒体を提供することにある。
【課題を解決するための手段】
【００１２】
上記目的を達成するため、請求項１記載の発明は、光磁気ディスク媒体に記録可能領域の残量を、光ディスク装置を装着することなく、光ディスク媒体単体にて目視可能に表示するための領域を有することを特徴とする。
【００１３】
請求項２記載の発明は、請求項１記載の発明において、光ディスク媒体の残量表示部へ、光磁気ディスク装置の磁気ヘッドによって残量を記録することを特徴とする。
【発明の効果】
【００１４】
本発明に係る光磁気ディスク媒体の構成によれば、光磁気ディスク媒体を光ディスク装置に装着することなく目視により簡単に記録可能な残り時間、容量を把握することができる。
【００１５】
又、、本発明によれば、目視により残量が分かることから光磁気ディスク装置に使い慣れていないユーザにも直感的に残量が分かり、容量不足による記録の失敗を防止することが可能となる。
【００１６】
更に、残量表示部領域への記録に光磁気ディスク装置の磁気ヘッドを利用することにより装置のコストを上げることなく利用することが可能となる。
【発明を実施するための最良の形態】
【００１７】
以下に本発明の実施の形態を添付図面に基づいて説明する。
【００１８】
図１は本発明に係る光磁気ディスク媒体の平面図、図２は本発明における光磁気ディスクの残量表示部の断面図、図３は本発明の実施例における光ディスク装置のブロック図、図４は本発明の実施例における光磁気ディスク媒体についての平面図である。
【００１９】
図１において、１は本発明の光磁気ディスク媒体、２は本発明の残量表示部領域である。図２において、３はピックアップ、４は基板、５は記録層、６は保護膜層、７は表示部磁性面層、８は残量表示層、９は磁気ヘッドである。図３において、１０はデータ記録・再生手段、１１はモータ、１２は残量記録手段図、１３はコマンドである。
【００２０】
図１において、残量表示部２は、光磁気ディスク1
表面に内周に円形に形成する。図２において、残量表示部領域２の断面は、基板４の上に記録層５の上に保護膜６の上に表示部磁性面層７の上に残量表示層８で構成される。基板４はポリカボネート等である。記録層５は、ＴｂＦｅＣｏアモルファス等である。残量表示層８は、表示部磁性面層７の磁化により色相が変化するマグネットビューアで構成されている。
【００２１】
図３において、光磁気ディスク媒体１が光ディスク装置に装着されると、スピンドルモータ１１が回転し、ピックアップ３内の半導体レーザによりデータ記録・再生手段１２により所定の立ち上がり動作の後、待機状態に入る。
【００２２】
ここで、光磁気ディスク媒体へのデータ記録・再生について説明する。
【００２３】
光磁気ディスク媒体１には、基板４、記録層５及び保護膜６が形成されている。記録層５はＴｂＦｅＣｏアモルファス等による磁性層が形成されている。この記録層（磁性層）５は保磁力が強く、記録したデータを簡単に変更することができない。つまり、外部から磁力を与えていただけでは、データを書き込むことができない。
【００２４】
そこで、データを書き込むために磁性体には温度を高くすると保磁力が弱くなる性質がある。その温度をキュリー点と言う。記録層５にレーザビームを照射して１５０℃〜２００℃のキュリー点まで温度を上げることでデータの書き換えが可能な状態を作り出す。このときに磁気ヘッド９から磁力を与えればデータの書き込みが可能となる。
【００２５】
光磁気ディスク媒体１に記録した磁気データの読み出しは、ピックアップ３から照射されるレーザビームを使用する。磁化した物質に光を当てると、磁化の方向に応じて反射光の偏向角度が変化するというカー効果を利用する。光磁気ディスク媒体１にレーザビームを照射し、その反射光の偏向角度を調べればデータを読み出すことができる。
【００２６】
次に、残量表示領域２への記録方法について説明する。
【００２７】
図１では残量表示部２は内周の円弧状に配置されている。この残量表示部２は、ＴＯＣ（Table  of  Contens）が記録される領域と一致している。ＴＯＣは各フォーマットで規定されているディスクのディスク情報、トラック情報等を記録する領域である。光磁気ディスク媒体１が光ディスク装置でデータ記録・再生手段１０によりデータの記録を行った後、ＴＯＣへ書き込みを行うときに残量表示部２に磁気ヘッド９により表示部磁性面層７を磁化させて残量表示を行う。この磁化された表示部磁性面層７の上の残量表示層８（マグネットビューア）の色相が変化して目視で残量が確認できるようになる。このとき、残量表示部２はＴＯＣ記録パターンと同等となる。
【００２８】
又、残量表示部領域２の書き始め（０番地）をＴＯＣのアドレスを利用する。これにより、円弧状に配置した残量表示部領域２を円グラフとして表示可能となる。記録層５を磁化させるには、ピックアップ３のレーザ光でキュリー点まで温度を上昇させる必要がある。従って、残量表示部層８を磁化させるときには、ピックアップ３のレーザ光を照射しない。こうすることで、ＴＯＣ記録パターンと異なった残量表示部記録が可能となる。
【００２９】
光磁気ディスク媒体１が光ディスク装置でデータ記録・再生手段１０によりデータの記録を行った後、残量表示部領域２に残量情報を記録するためのコマンド１３が残量記録手段１２に入力されると、データ記録・再生手段１０は、残量表示部２へ光磁気ディスク１を光ディスク装置で記録可能な全領域に対する記録済みの領域の比を求め、残量表示部磁性層７に記録を行う。従って、円グラフに形成することで目視による残量がより一層分かり易くなる。
【００３０】
尚、図１の形態では、残量表示部領域２は内周の円弧状に配置されているが、これに限らず、他の場所に配置した例を図４に示す。
【００３１】
図４において、残量表示部領域２ａは光磁気ディスク１上に半径方向に帯状に配置されている。このとき、内周部を使用部（記録部）２ｂであり、未記録部（残量）２ｃで配置する。光磁気ディスク媒体１が光ディスク装置でデータ記録・再生手段１０によりデータの記録を行った後、残量表示部領域２ａに残量情報を記録するためのコマンド１３が残量記録手段１２に入力されると、データ記録・再生手段１０は、残量表示部２ａへ光磁気ディスク１を光ディスク装置で記録可能な全領域に対する記録済みの領域の比を求め、使用部２ｂとして残量表示部領域２ａに記録を行う。
【００３２】
このとき、残量表示部領域２ａでは、半径方向に帯状に内周から使用部２ｂを記録していく。又、追記型光磁気ディスクへ適用する際には記録層５の書き込み時と同時に磁化され残量が目視で確認できるようになる。
【００３３】
又、残量表示部領域２ａが５０％変化していれば、総記録可能領域が５０％使用されていることが簡単に分かる。尚、残量表示部領域２の配置位置は内周、帯状だけでなく、他の場所に配置しても構わない。又、残量表示領域の記録面積によって残量を判断するように述べたが、文字、数字等で表しても構わない。
【００３４】
尚、本実施の形態では、残量表示層は保護膜の上に形成しているが、保護膜の下に形成しても良い。
【産業上の利用可能性】
【００３５】
本発明は、記録可能な光磁気ディスク媒体中の記録可能な領域の残量表示方法に対して適用可能である。
【図面の簡単な説明】
【００３６】
【図１】本発明に係る光磁気ディスクの平面図である。
【図２】本発明に係る光磁気ディスクの残量表示部領域の断面図である。
【図３】本発明に係る光磁気ディスク装置のブロック図である。
【図４】本発明に係る光磁気ディスクの平面図である。
【符号の説明】
【００３７】
１    光磁気ディスク媒体
２    残量表示部領域
２ａ  残量表示部領域
２ｂ  使用部（記録部）
２ｃ  未記録部（残量）
３    ピックアップ
４    基板
５    記録層
６    保護膜
７    残量表示部磁性面層
８    残量表示層
９    磁気ヘッド
１０  データ記録・再生手段
１１  モータ
１２  残量表示記録手段
１３  コマンド
【図１】
2005108311.tif 000003
【図２】
2005108311.tif 000004
【図３】
2005108311.tif 000005
【図４】
2005108311.tif 000006